(57)【要約】【課題】本発明は情報処理装置用機能拡張装置に係り、上面側に搭載されて実装された情報処理装置を切り離して離脱するときの操作性の向上を実現することを課題とする。【解決手段】機能拡張装置は、離脱操作機構７０を有する。離脱操作機構７０は、ベース７１と、ロック爪部材７２と、回動操作レバー７３と、押し上げ部材７４と、引張りコイルばね７５とを有する。回動操作レバー７３を約８０度回動させる過程で、ロック爪部材７２が動かされて、情報処理装置のロックが解除され、続いて、押し上げカム７３ｄが押し上げ部材７４を押し上げて、押し上げ部材７４が情報処理装置を押し上げて、コネクタの接続を解除させるよう構成する。【選択図】図５
2008176799.tif 000002
【特許請求の範囲】
【請求項１】
上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、
上動して上記搭載されている情報処理装置を上記情報処理装置用機能拡張装置より押し上げる押し上げ部材と、
該情報処理装置を該情報処理装置用機能拡張装置から切り離して離脱させるときに操作される操作部材と、
該操作部材を操作することによって、上記押し上げ部材を上記情報処理装置側コネクタが上記機能拡張装置側コネクタより外れる高さまで上動させる上動機構とを有する構成としたことを特徴とする情報処理装置用機能拡張装置。
【請求項２】
上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、
上記搭載された情報処理装置を上記情報処理装置用機能拡張装置に固定するロック機構と、
該情報処理装置を該情報処理装置用機能拡張装置から切り離して離脱させるときにときに操作される操作部材と、
該操作部材を操作することによって上記ロック機構をロック解除状態とするロック解除機構とを有する構成としたことを特徴とする情報処理装置用機能拡張装置。
【請求項３】
上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、
上記搭載された情報処理装置を上記情報処理装置用機能拡張装置に固定するロック機構と、
上動して上記搭載されている情報処理装置を上記情報処理装置用機能拡張装置より押し上げる押し上げ部材と、
該情報処理装置を該情報処理装置用機能拡張装置から切り離して離脱させるときにときに操作される操作部材と、
該操作部材を操作することによって最初に動作し上記ロック機構をロック解除状態とするロック解除機構と、
該操作部材を更に操作することによって、上記押し上げ部材を上記情報処理装置側コネクタが上記機能拡張装置側コネクタより外れる高さまで上動させる上動機構とを有する構成としたことを特徴とする情報処理装置用機能拡張装置。
【請求項４】
該操作部材は、該情報処理装置用機能拡張装置の両側の側面側に設けてあり、先端が該情報処理装置用機能拡張装置の奥方側から側方に出っ張るように回動される２つの回動レバーよりなり、
該上動機構は、該回動レバーの回動中心近くに配されており上記押し上げ部材を押し上げる押し上げカムよりなり、
該押し上げ部材は、上記機能拡張装置側コネクタを中心として左右側に設けてある構成としたことを特徴とする請求項１乃至請求項３のうちいずれか一項記載の情報処理装置用機能拡張装置。
【請求項５】
上記ロック解除機構は、該操作部材に形成されたロック解除カムが上記ロック機構の一部を押す構成であり、
該ロック解除カムは、上記ロック機構がロックが解除される方向に動くことを許容する形状を有する構成としたことを特徴とする請求項２又は請求項３記載の情報処理装置用機能拡張装置。
【請求項６】
上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、
上動して上記搭載されている情報処理装置を上記情報処理装置用機能拡張装置より押し上げる押し上げ部材と、
該情報処理装置を該情報処理装置用機能拡張装置から切り離して離脱させるときに操作される操作部材と、
該操作部材を操作することによって、上記押し上げ部材を上動させる上動機構とを有する構成としたことを特徴とする情報処理装置用機能拡張装置。
【発明の詳細な説明】
【技術分野】
【０００１】
本発明は情報処理装置用機能拡張装置に係り、特に携帯可能な情報処理装置をその機能を拡張して使用する場合に使用され、情報処理装置が上面側に搭載されて実装される情報処理装置用機能拡張装置に関する。
【０００２】
携帯可能な情報処理装置のオプションとして情報処理装置用機能拡張装置が入手できる。この情報処理装置用機能拡張装置は、情報処理装置には無い機能を備えているものであり、情報処理装置をその機能を拡張して使用する場合に使用されるものである。
【０００３】
この情報処理装置用機能拡張装置は、情報処理装置が装着し易い構造であると共に、情報処理装置を取り外しやすい構成であることが望ましい。
【背景技術】
【０００４】
図１１は、従来の情報処理装置用機能拡張装置１０を、ノート・ペン型の携帯情報処理装置１１と併せて示す。機能拡張装置１０は、両側寄りの部位に、円盤形状の操作ノブ１２を有する。操作ノブ１２には取付け用ねじ１３が固定してあり、取付け用ねじ１３は、機能拡張装置１０の情報処理装置装着面である上面１４より上方に突き出ている。機能拡張装置１０の上面１４上に、コネクタ１５が突き出して設けてある。
【０００５】
情報処理装置１１は、底面のうち両側寄りの部位に、ねじ穴１６を有し、且つ下面側にコネクタ１７が底面より凹んで設けてある。
【０００６】
情報処理装置１１は、単独で、テーブル上に置いて使用可能である。情報処理装置１１を機能拡張装置１０と結合して使用とする場合には、情報処理装置１１を、手前側の穴１８を機能拡張装置１０の突部１９と嵌合させ、機能拡張装置１０上に載せ、押しつけてコネクタ１７をコネクタ１５と接続させ、両手の指先で操作ノブ１２を何回も回転させ、取付け用ねじ１３をねじ穴１６に螺合させる。これによって、情報処理装置１１が機能拡張装置１０と結合され、機能拡張装置１０の機能が利用出来る状態となる。
【０００７】
情報処理装置１１を機能拡張装置１０から取り外す場合には、両手の指先で操作ノブ１２を何回も回転させ、取付け用ねじ１３をねじ穴１６から抜き、次いで、情報処理装置１１と機能拡張装置１０とに指先を引っかけて両者を引き離すように力を加え、コネクタ１７とコネクタ１５との接続を解除させる。
【発明の開示】
【発明が解決しようとする課題】
【０００８】
近年、機能拡張装置１０の機能の充実に伴って、コネクタ１５（コネクタ１７）のピンの数が増えてきている。従来はピンの数が例えば２６本程度であったのが、最近では、ピンの数が例えば２００本程度となっている。このため、コネクタ１７とコネクタ１５との接続を解除させるのに、２〜４ｋｇもの大きな抜去力を必要とし、情報処理装置１１を機能拡張装置１０から取り外す操作がしにくくなってしまう。
【０００９】
また、情報処理装置１１と機能拡張装置１０とに指先を引っかけて両者を引き離すように強い力を加えた場合に、コネクタ１５及びコネクタ１７に片寄った力が加わって、コネクタ１５及びコネクタ１７を傷めてしまう虞れがあった。
【００１０】
そこで、本発明は上記課題を解決した情報処理装置用機能拡張装置を提供することを目的とする。
【課題を解決するための手段】
【００１１】
請求項１の発明は、上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、  上動して上記搭載されている情報処理装置を上記情報処理装置用機能拡張装置より押し上げる押し上げ部材と、
該情報処理装置を該情報処理装置用機能拡張装置から切り離して離脱させるときに操作される操作部材と、
該操作部材を操作することによって、上記押し上げ部材を上記情報処理装置側コネクタが上記機能拡張装置側コネクタより外れる高さまで上動させる上動機構とを有する構成としたものである。
【００１２】
請求項２の発明は、上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、  上記搭載された情報処理装置を上記情報処理装置用機能拡張装置に固定するロック機構と、
該情報処理装置を該情報処理装置用機能拡張装置から切り離して離脱させるときにときに操作される操作部材と、
該操作部材を操作することによって上記ロック機構をロック解除状態とするロック解除機構とを有する構成としたものである。
【００１３】
請求項３の発明は、上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、  上記搭載された情報処理装置を上記情報処理装置用機能拡張装置に固定するロック機構と、
上動して上記搭載されている情報処理装置を上記情報処理装置用機能拡張装置より押し上げる押し上げ部材と、
該情報処理装置を該情報処理装置用機能拡張装置から切り離して離脱させるときにときに操作される操作部材と、
該操作部材を操作することによって最初に動作し上記ロック機構をロック解除状態とするロック解除機構と、
該操作部材を更に操作することによって、上記押し上げ部材を上記情報処理装置側コネクタが上記機能拡張装置側コネクタより外れる高さまで上動させる上動機構とを有する構成としたものである。
【００１４】
請求項４の発明は、請求項１乃至請求項３のうちいずれか一項記載の情報処理装置用機能拡張装置において、該操作部材は、該情報処理装置用機能拡張装置の両側の側面側に設けてあり、先端が該情報処理装置用機能拡張装置の奥方側から側方に出っ張るように回動される２つの回動レバーよりなり、
該上動機構は、該回動レバーの回動中心近くに配されており上記押し上げ部材を押し上げる押し上げカムよりなり、
該押し上げ部材は、上記機能拡張装置側コネクタを中心として左右側に設けてある構成としたものである。
【００１５】
請求項５の発明は、請求項２又は請求項３記載の情報処理装置用機能拡張装置において、上記ロック解除機構は、該操作部材に形成されたロック解除カムが上記ロック機構の一部を押す構成であり、
該ロック解除カムは、上記ロック機構がロックが解除される方向に動くことを許容する形状を有する構成としたものである。
【００１６】
請求項６の発明は、上側に情報処理装置装着面を有し、該情報処理装置装着面に機能拡張装置側コネクタを有し、底面に情報処理装置側コネクタを有する情報処理装置が、該情報処理装置側コネクタを該機能拡張装置側コネクタと接続させて該情報処理装置装着面上に搭載される情報処理装置用機能拡張装置において、  上動して上記搭載されている情報処理装置を上記情報処理装置用機能拡張装置より押し上げる押し上げ部材と、
該情報処理装置を該情報処理装置用機能拡張装置から切り離して離脱させるときに操作される操作部材と、
該操作部材を操作することによって、上記押し上げ部材を上動させる上動機構とを有する構成としたものである。
【発明の効果】
【００１７】
請求項１の発明によれば、情報処理装置が、情報処理装置側コネクタを機能拡張装置側コネクタと接続させて情報処理装置装着面上に搭載される情報処理装置用機能拡張装置において、上動して上記搭載されている情報処理装置を情報処理装置用機能拡張装置より押し上げる押し上げ部材と、情報処理装置を情報処理装置用機能拡張装置から切り離して離脱させるときに操作される操作部材と、操作部材を操作することによって、押し上げ部材を情報処理装置側コネクタが機能拡張装置側コネクタより外れる高さまで上動させる上動機構とを有する構成としたため、操作部材を操作することによって情報処理装置側コネクタと機能拡張装置側コネクタとの接続が解除され、よって、情報処理装置を情報処理装置用機能拡張装置から切り離すべく操作者が強い力を加える必要は無く、このため、操作部材を操作しさえすれば情報処理装置を単に持ち上げることによって情報処理装置用機能拡張装置から切り離すことが出来、情報処理装置の機能拡張装置からの取り外しを手際良く行うことが出来、切り離すときの操作性の向上を図ること出来る。
【００１８】
請求項２の発明によれば、情報処理装置が、情報処理装置側コネクタを機能拡張装置側コネクタと接続させて情報処理装置装着面上に搭載される情報処理装置用機能拡張装置において、搭載された情報処理装置を情報処理装置用機能拡張装置に固定するロック機構と、情報処理装置を情報処理装置用機能拡張装置から切り離して離脱させるときにときに操作される操作部材と、操作部材を操作することによってロック機構をロック解除状態とするロック解除機構とを有する構成としたため、操作部材を操作しさえすれば情報処理装置を単に持ち上げることによって情報処理装置用機能拡張装置から切り離すことが出来、切り離すときの操作性の向上を図ること出来る。
【００１９】
請求項３の発明によれば、情報処理装置が、情報処理装置側コネクタを機能拡張装置側コネクタと接続させて情報処理装置装着面上に搭載される情報処理装置用機能拡張装置において、搭載された情報処理装置を上記情報処理装置用機能拡張装置に固定するロック機構と、上動して搭載されている情報処理装置を情報処理装置用機能拡張装置より押し上げる押し上げ部材と、情報処理装置を情報処理装置用機能拡張装置から切り離して離脱させるときにときに操作される操作部材と、操作部材を操作することによって最初に動作しロック機構をロック解除状態とするロック解除機構と、操作部材を更に操作することによって、上記押し上げ部材を情報処理装置側コネクタが機能拡張装置側コネクタより外れる高さまで上動させる上動機構とを有する構成としたため、操作部材を最終位置まで操作することによって、先ず、ロック機構がロック解除状態とされ、続いて情報処理装置側コネクタが機能拡張装置側コネクタより外され、よって、操作部材を操作しさえすれば情報処理装置を単に持ち上げることによって情報処理装置用機能拡張装置から切り離すことが出来、情報処理装置の機能拡張装置からの取り外しを手際良く行うことが出来、切り離すときの操作性の向上を図ること出来る。
【００２０】
請求項４の発明によれば、操作部材は、情報処理装置用機能拡張装置の両側の側面側に設けてあり、先端が情報処理装置用機能拡張装置の奥方側から側方に出っ張るように回動される２つの回動レバーよりなり、上動機構は、回動レバーの回動中心近くに配されており押し上げ部材を押し上げる押し上げカムよりなる構成としたため、操作者は、テーブル上の情報処理装置用機能拡張装置の各側面側に手をあてがい、指先を回動レバーの先端に引っかけて外側に引くという、力を入れ易い操作をすることが出来、よって、操作性の向上を図ることが出来る。
【００２１】
また、上動機構は、回動レバーの回動中心近くに配されており押し上げ部材を押し上げる押し上げカムよりなる構成としたため、回動レバーを通常に引く操作によって、押し上げ部材を、情報処理装置側コネクタを機能拡張装置側コネクタより外すに必要な抜去力を越える強い力で上動させることが出来、よって、操作性の向上を図ることが出来る。
【００２２】
また、押し上げ部材は、上記機能拡張装置側コネクタを中心として左右側に設けてある構成としため、情報処理装置側コネクタを機能拡張装置側コネクタより外すに抜去力を情報処理装置側コネクタの左右側からバランスよく付与することが出来、よって、情報処理装置側コネクタ及び機能拡張装置側コネクタを傷めることなく情報処理装置側コネクタを機能拡張装置側コネクタより抜去出来る。
【００２３】
請求項５の発明によれば、ロック解除機構は、操作部材に形成されたロック解除カムが上記ロック機構の一部を押す構成であり、ロック解除カムは、ロック機構がロックが解除される方向に動くことを許容する形状を有する構成としたため、情報処理装置を機能拡張装置に載せて装着するときにロック機構が一時的に動くけれども、操作部材は動かず、不快感を与えないようにすることが出来る。
【００２４】
請求項６の発明によれば、情報処理装置が、情報処理装置側コネクタを機能拡張装置側コネクタと接続させて情報処理装置装着面上に搭載される情報処理装置用機能拡張装置において、上動して上記搭載されている情報処理装置を情報処理装置用機能拡張装置より押し上げる押し上げ部材と、情報処理装置を情報処理装置用機能拡張装置から切り離して離脱させるときに操作される操作部材と、操作部材を操作することによって、押し上げ部材を上動させる上動機構とを有する構成としたため、操作部材を操作することによって情報処理装置側コネクタと機能拡張装置側コネクタとの接続が解除されるようになり、よって、情報処理装置を情報処理装置用機能拡張装置から切り離すべく操作者が強い力を加える必要は無く、このため、操作部材を操作しさえすれば情報処理装置を単に持ち上げることによって情報処理装置用機能拡張装置から切り離すことが出来、情報処理装置の機能拡張装置からの取り外しを手際良く行うことが出来、切り離すときの操作性の向上を図ること出来る。
【発明を実施するための最良の形態】
【００２５】
以下発明を実施するための最良の形態について説明する。
【実施例１】
【００２６】
図１及び図２は本発明の一実施例になる情報処理装置用機能拡張装置３０を示す。機能拡張装置３０は、ノート・ペン型の情報処理装置３１に使用されるものである。図１は、機能拡張装置３０を情報処理装置３１と併せて示す。図２は、情報処理装置３１が機能拡張装置３０上に搭載された状態を示す。
【００２７】
方向は情報処理装置３１に対面してこれを使用する人の位置を基準にして表す。Ｙ１は奥側の方向、Ｙ２は手前側の方向、Ｘ１は右側の方向、Ｘ２は左側の方向、Ｚ１は上側の方向、Ｚ２は下側の方向である。
【００２８】
説明の便宜上、先ず、ノート・ペン型の情報処理装置３１について説明する。  情報処理装置３１は、上面にキーボード（図示せず）が配された本体３２と、開き可能な液晶表示パネル部３３とよりなる。情報処理装置３１は、通常は単独で使用され、必要に応じて、図２に示すように、機能拡張装置３０上に搭載して機能拡張装置３０と機械的に及び電気的に接続した状態で使用される。
【００２９】
機能拡張装置３０と接続することを考慮して、情報処理装置３１は、図３に併せて示すように、本体３２に、情報処理装置側コネクタ３５、開口３６、３７、及び凹部３８、３９等を有する。
【００３０】
情報処理装置側コネクタ３５は、長手方向をＸ１，Ｘ２方向に一致させた向きで、本体３２の平面図上の中心よりＹ１方向に少し寄った部位に配されて、本体３２の内部に固定してあり、底板（底面）４０の開口４１に対向している。開口４１には、情報処理装置側コネクタ３５を保護するための蓋４２が設けてある。蓋４２は、通常は閉じており、情報処理装置３１を機能拡張装置３０上に載せたときに後述する機能拡張装置側コネクタ５７によって相対的に押し開かれる。
【００３１】
開口３６は、底板４０のうち、情報処理装置側コネクタ３５から見てＸ２側であって本体３２の側面４３に近い位置に設けてある。開口３７は、底板４０のうち、情報処理装置側コネクタ３５から見てＸ１側であって本体３２の側面４４に近い位置に設けてある。
【００３２】
本体３２の内部であって、開口３６及び開口３７の縁には、底板４０の一部よりなる引っ掛かけ縁部３６ａが設けてある。
【００３３】
凹部３８、３９は、夫々、本体３２のＹ１側の面４５のうち側面４３及び側面４４に近い位置に設けてある。
【００３４】
よって、情報処理装置側コネクタ３２は、その中心を、情報処理装置３１のＹ１，Ｙ２方向に延在する中心線ＣＬ１に一致させて配してあり、開口３６、開口３７、及び凹部３８、３９は、中心線ＣＬ１に関して対称に配されている。
【００３５】
次に、機能拡張装置３０について説明する。
【００３６】
図１に示すように、機能拡張装置３０は、平面図上、情報処理装置３１に対応する寸法形状を有する偏平な本体５０のうち、Ｙ２寄りの部分に、ＣＤ−ＲＯＭドライブ５１、フロッピー（登録商標）ディスクドライブ５２、スピーカ５３、５４を有し、且つ、Ｙ１端の面に、コネクタ（図示せず）を備え、且つ、情報処理装置装着面である上面５５に機能拡張装置側コネクタ５７が設けてある。
【００３７】
機能拡張装置側コネクタ５７は、長手方向をＸ１，Ｘ２方向に一致させた向きで、本体５０の平面図上の中心よりＹ１方向に少し寄った部位に配されて、上面５５より上方（Ｚ１方向）に突き出ている。ＣＬ２は、機能拡張装置３０のＹ１，Ｙ２方向に延在する中心線である。
【００３８】
また、機能拡張装置３０は、機能拡張装置側コネクタ５７から見てＸ２側であって本体５０の側面５８に近い位置に、離脱操作機構７０が設けてあり、且つ、機能拡張装置側コネクタ５７から見てＸ１側であって本体５０の側面５９に近い位置に、離脱操作機構７０Ａが設けてある。即ち、離脱操作機構７０、７０Ａは、中心線ＣＬ２に関して対称に配されている。
【００３９】
図２に示すように、情報処理装置３１を機能拡張装置３０上に搭載して装着した状態では、情報処理装置側コネクタ３２が機能拡張装置側コネクタ５７と接続され、情報処理装置３１が機能拡張装置３０と電気的に接続され、情報処理装置３１の機能が拡張され、例えば、ＣＤ−ＲＯＭドライブ５１及びフロッピー（登録商標）ディスクドライブ５２が使用可能となる。
【００４０】
情報処理装置３１を機能拡張装置３０から切り離して離脱させる場合には、両側の離脱操作機構７０、７０Ａを同時に操作することによって、後述するように情報処理装置３１が機能拡張装置３０より押し上げられて機能拡張装置３０から切り離して離脱される。
【００４１】
次に、離脱操作機構７０、７０Ａについて説明する。
【００４２】
図４に示すように、離脱操作機構７０は、ベース７１と、ロック爪部材７２と、回動操作レバー７３と、押し上げ部材７４と、引張りコイルばね７５と、捩じりコイルばね７６とを有する。離脱操作機構７０Ａは、ベース７１Ａと、ロック爪部材７２Ａと、回動操作レバー７３Ａと、押し上げ部材７４Ａと、引張りコイルばね７５Ａと、捩じりコイルばね７６Ａとを有する。図４から分かるように、離脱操作機構７０Ａは、中心線ＣＬ２に関して離脱操作機構７０と対称な構成である。よって、図５、図６及び図７を参照して、一方の離脱操作機構７０について説明する。
【００４３】
ベース７１は、板金製であり、Ｙ１，Ｙ２方向に細長い形状を有し、立ち上がっているガイド部７１ａを有し、且つ、軸７１ｂ、ピン７１ｃ，７１ｄがかしめてある。
【００４４】
ロック爪部材７２は、板金製であり、ロック爪７２ａ及びピン７２ｄを有し、長孔７２ｂ，７２ｃをピン７１ｃ，７１ｄに嵌合させてベース７１上にＹ１，Ｙ２方向に摺動可能に設けてある。ロック爪部材７２は、引張りコイルばね７５によってＹ２方向に移動している。図６（Ａ）に示すように、ロック爪７２ａは、ガイド部７１ａよりＹ２方向側に突き出ている。ロック爪部材７２がＹ１に摺動すると、ロック爪７２ａは、ガイド部７１ａの裏側に隠れる（図９（Ａ）参照）。ロック爪７２ａ及び引張りコイルばね７５がロック機構を構成する。
【００４５】
回動操作レバー７３は、摺動性が良く且つ高い剛性を有する特性を備えたポリアセタール樹脂製であり、図７（Ａ），（Ｂ）に併せて示すように、レバー部７３ａと、レバー部７３ａより張り出している張り出し部７３ｂと、この張り出し部７３ｂよりＺ１方向に突き出ているボス部７３ｃと、張り出し部７３ｂの上面にＺ１方向に突き出て形成してある押し上げカム７３ｄと、張り出し部７３ｂの下面の凹部７３ｅと、この凹部７３ｅの縁が形作っているロック解除カム７３ｆと、レバー部７３ａの先端の指掛け部７３ｇとよりなる。押し上げカム７３ｄが上動機構を構成する。ロック解除カム７３ｆとピン７２ｄとが、ロック解除機構を構成する。
【００４６】
押し上げカム７３ｄは、ボス部７３ｃを中心とする半径がＲ１の円に沿って円弧状に形成してあり、傾斜角度θ（図５参照）が約２０度と小さくなだらかな斜面部７３ｄ−１を有する。
【００４７】
ボス部７３ｃからレバー部７３ａの先端の指掛け部７３ｇまでの距離Ｌは、上記の半径Ｒ１の約２倍であり、且つ、斜面部７３ｄ−１の傾斜角度θが約２０度と小さいため、指掛け部７３ｇに掛けた指を機能拡張装置３０の外側に軽い力Ｆ１で引くことによって、押し上げ部材７４にＺ１方向の強い力Ｆ２を付与できる。
【００４８】
凹部７３ｅは、ピン７２ｄがＹ１方向に動くことを許容する。
【００４９】
回動操作レバー７３は、ボス部７３ｃが軸７１ｂに嵌合し、凹部７３ｅ内にピン７２ｄが嵌合した状態で、軸７１ｂに回動可能に支持してあり、捩じりコイルばね７６によって時計方向に付勢され、ベース７１の一部に当たって回動を制限された状態にある。レバー部７３ａはＸ１方向に延びている。ピン７２ｄは、ロック解除カム７３ｆと当たっている。
【００５０】
押し上げ部材７４は、ポリアセタール樹脂製であり、図５に示すように、略立方体形状を有し、機能拡張装置３０の本体５０の矩形開口５０ａ内に、矩形開口５０ａよりＺ１方向に突き出し可能に（Ｚ１、Ｚ２方向に摺動可能に）設けてある。
【００５１】
ロック爪部材７２及び回動操作レバー７３が取付けられたベース７１は、ねじ７７でもって機能拡張装置３０の本体５０の下面に取り付けてある。図６（Ｂ）に示すように、押し上げ部材７４は、軸７１ｂを中心とする半径がＲ１の円上であって、押し上げカム７３ｄから外れた位置であって、張り出し部７３ｂに対向する位置に位置している。
【００５２】
上記押し上げカム７３ｄのリフトｈは、押し上げ部材７４が最大に上動したときの高さＨ（押し上げ部材７４のＺ１方向のストロークＳ）が、情報処理装置側コネクタ３２が機能拡張装置側コネクタ５７から完全に外れるまで情報処理装置３１を機能拡張装置３０から押し上げるに十分なように定めてある（図８（Ｉ）参照）。
【００５３】
次に、情報処理装置３１を機能拡張装置３０から切り離して離脱させる場合の離脱操作機構７０、７０Ａの操作、及びこの操作による動作について説明する。  図８（Ａ）乃至（Ｌ）は、情報処理装置３１を機能拡張装置３０から切り離して離脱させる場合の離脱操作機構７０、７０Ａの操作、及びこの操作による動作を、回動操作レバー７３の回動位置と対応させて示す。
【００５４】
図８（Ａ），（Ｄ），（Ｇ），（Ｊ）は、情報処理装置３１が機能拡張装置３０に装着されている状態を示す。
【００５５】
図８（Ａ）に示すように、レバー部７３ａはＸ１方向に延びており、機能拡張装置３０の側面５８の凹部５８ａ内に収まっている。図８（Ｄ）に示すように、ロック爪７２ａが底板４０の開口３６の縁３６ａを引っかけている。図８（Ｄ）に示すように、押し上げ部材７４は、低い位置に位置しており、矩形開口５０ａより突き出していない。図８（Ｊ）に示すように、情報処理装置側コネクタ３２が機能拡張装置側コネクタ５７と接続されている。
【００５６】
情報処理装置３１を機能拡張装置３０から切り離して離脱させる場合には、操作者は、テーブル上にある機能拡張装置３０を持ち上げることはせず、テーブル上に置いたままで、機能拡張装置３０のＸ２側に左手を当てがい、Ｘ１側に右手を当てがい、ひとさし指の先端をレバー部７３ａの先端の指掛け部７３ｇに引っかけて引き、回動操作レバー７３を反時計方向に、回動操作レバー７３Ａを時計方向に、それ以上回らない位置まで略８０度一気に回動させる操作をする。
【００５７】
図９（Ａ），（Ｂ）は、回動操作レバー７３を約４０度回動させたとき状態を示す。回動操作レバー７３を図８（Ｂ）に示すように約４０度回動させる過程で、ロック解除カム７３ｆがピン７２ｄを押し、図９に示すように、ロック爪部材７２が引張りコイルばね７５に抗してＹ１方向に移動し、図８（Ｅ）に示すように、ロック爪７２ａが開口３６の引っ掛かけ縁部３６ａから外れて、情報処理装置３１に対するロックが解除される。
【００５８】
押し上げカム７３ｄはまだ押し上げ部材７４の下には到っていず、押し上げ部材７４は、図８（Ｈ）に示すように、低い位置に位置したままであり、図８（Ｋ）に示すように、情報処理装置側コネクタ３２が機能拡張装置側コネクタ５７と接続されている。
【００５９】
図１０（Ａ），（Ｂ）は、回動操作レバー７３を更に約４０度回動させたとき状態を示す。回動操作レバー７３を図８（Ｃ）に示すように更に約４０度回動させる過程で、押し上げカム７３ｄがその斜面部７３ｄ−１から押し上げ部材７４の下側に入り込んで押し上げ部材７４をＺ１方向に押し上げる。押し上げ部材７４は、図８（Ｆ）に示すように、Ｚ１方向に上動して矩形開口５０ａより突き出る。
【００６０】
押し上げ部材７４は、情報処理装置３１の底板４０を押して、情報処理装置３１を機能拡張装置３０より浮かせ、図８（Ｌ）に示すように、情報処理装置側コネクタ３２が機能拡張装置側コネクタ５７から抜け出して接続が解除される。
【００６１】
続いて、操作者は、指先を回動操作レバー７３から離し、機能拡張装置３０と情報処理装置３１との間にできた隙間に指先を入れて、情報処理装置３１の両側を掴んで引き上げる。これによって、情報処理装置３１が機能拡張装置３０から取り外される。情報処理装置３１を引き上げるときには情報処理装置側コネクタ３２が機能拡張装置側コネクタ５７から既に外れているため、情報処理装置３１は容易に取り外される。
【００６２】
ここで、情報処理装置３１は側面と上面との間に傾斜面６０、６１を有しており、指先が情報処理装置３１を引っかけ易くしてある。
【００６３】
また、押し上げ部材７４のＺ１方向の力Ｆ２は、回動操作レバー７３を回動させるときの力Ｆ１の約５倍に倍力されている。よって、回動操作レバー７３を回動させる操作力が軽くても情報処理装置側コネクタ３２を機能拡張装置側コネクタ５７から抜くに必要な抜去力と情報処理装置３１の重力とを加えた力を十分に越える力Ｆ２を得ることが出来る。よって、回動操作レバー７３を回動させる操作は軽くて足り、操作性は良い。
【００６４】
また、押し上げ部材７４のＺ１方向の力Ｆ２は大きく、押し上げ部材７４のＺ１方向に突き出る速度は遅く、押し上げ部材７４、７４Ａが情報処理装置側コネクタ３２の両端に近い部位を略同時に押すため、情報処理装置３１には両側がバランスした状態でしっかりと押し上げ力が作用され、情報処理装置側コネクタ３２は一方に片寄らずに、全体が平均して機能拡張装置側コネクタ５７から抜け出して、即ち、情報処理装置側コネクタ３２及び機能拡張装置側コネクタ５７を傷めない状態で接続が解除される。
【００６５】
なお、情報処理装置３１は、Ｙ２端側を低くして少し斜めにし、Ｙ２端側で、凹部３８、３９を、凸部６２、６３に嵌合させ、Ｙ１端側を強く押すことによって、情報処理装置側コネクタ３２が機能拡張装置側コネクタ５７と接続されて、機能拡張装置３０上に装着される。このとき、底板４０の開口３６の縁３６ａがロック爪７２ａの斜面部７２ａ−１を押し、ロック爪部材７２は一旦Ｙ１方向に少し移動し、その後にＹ２方向に摺動復帰する。ロック爪部材７２がこの少しの移動をするとき、ピン７２ｄは、凹部７３ｅの内部で移動し、回動操作レバー７３は、少しも回動せず、図８（Ａ）に示す位置に保たれる。よって、操作者に不快感を与えない。
【００６６】
また、回動操作レバー７３に代えて、スライド操作レバーでもよく、押し釦でもよい。情報処理装置３１を機能拡張装置３０から取り外す場合に操作は、スライド操作レバーの場合には、摺動操作となり、押し釦の場合には押す操作となる。
【図面の簡単な説明】
【００６７】
【図１】本発明の一実施例になる情報処理装置用機能拡張装置を情報処理装置と併せて示す図である。
【図２】情報処理装置が搭載されている状態の機能拡張装置を示す図である。
【図３】情報処理装置を下方から見上げて示す斜視図である。
【図４】機能拡張装置の離脱操作機構を分解して示す斜視図である。
【図５】離脱操作機構を拡大して示す分解斜視図である。
【図６】離脱操作機構の初期の状態を示す図である。
【図７】回動操作レバーを示す図である。
【図８】情報処理装置を機能拡張装置から離脱させるときの操作及び動作を説明する図である。
【図９】離脱操作機構を途中まで操作したときの状態を示す図である。
【図１０】離脱操作機構を最終位置まで操作したときの状態を示す図である。
【図１１】従来例を示す図である。
【符号の説明】
【００６８】
３０  情報処理装置用機能拡張装置
３１  ノート・ペン型の情報処理装置
３２  本体
３３  液晶表示パネル部
３５  情報処理装置側コネクタ
３６、３７  開口
３６ａ  引っ掛かけ縁部
５０  本体
５５  上面（情報処理装置装着面）
７０，７０Ａ  離脱操作機構
７１  ベース
７２  ロック爪部材
７３  回動操作レバー
７３ａ  レバー部
７３ｄ  押し上げカム
７３ｆ  ロック解除カム
７４  押し上げ部材
【図１】
2008176799.tif 000003
【図２】
2008176799.tif 000004
【図３】
2008176799.tif 000005
【図４】
2008176799.tif 000006
【図５】
2008176799.tif 000007
【図６】
2008176799.tif 000008
【図７】
2008176799.tif 000009
【図８】
2008176799.tif 000010
【図９】
2008176799.tif 000011
【図１０】
2008176799.tif 000012
【図１１】
2008176799.tif 000013
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
上側に情報処理装置装着面を有し、該情報処理装置装着面に機能拡張装置側コネクタを有し、情報処理装置側コネクタを有する情報処理装置が、前記情報処理装置側コネクタを前記機能拡張装置側コネクタと接続させて前記情報処理装置装着面上に搭載可能な情報処理装置用機能拡張装置において、
上動して前記搭載されている情報処理装置を前記情報処理装置用機能拡張装置より押し上げる押し上げ部材と、
前記情報処理装置装着面に対して水平に操作可能に前記情報処理装置用機能拡張装置に設けられており、前記情報処理装置を前記情報処理装置用機能拡張装置から切り離して離脱させるときに操作される操作部材と、
利用者により操作可能に前記操作部材を収容し、前記操作部材の操作前の状態において該操作部材より大きい空間を有する収容部と、
前記操作部材の水平操作に連動して前記押し上げ部材を上動させるカムによって構成された上動機構と、を有する情報処理装置用機能拡張装置。
【請求項２】
前記操作部材は水平に回動し、
前記上動機構は、該操作部材を水平に回動操作することによって前記押し上げ部材を上動させること、を特徴とする請求項１に記載の情報処理装置用機能拡張装置。
【請求項３】
前記操作部材は、先端が前記情報処理装置用機能拡張装置側から側方に出っ張るように回動される回動レバーであることを特徴とする請求項１または２に記載の情報処理装置用機能拡張装置。
【請求項４】
前記回動レバーは、前記先端とその対向方向に回動軸を有する他端とで形成される所定長の直線部分を有し、
前記収容部は、操作前の状態における前記回動レバーの前記直線部分と同方向に該回動レバーの先端との間に形成される空間を有すること、を特徴とする請求項３に記載の情報処理装置用機能拡張装置。
【請求項５】
前記回動レバーは、前記回動軸から前記先端までの距離が前記回動軸から前記カムまでの距離の約２倍であること、を特徴とする請求項４記載の情報処理装置用機能拡張装置。
【請求項６】
情報処理システムにおいて、
情報処理装置側コネクタを有する情報処理装置と、
上側に情報処理装置装着面を有し、前記情報処理装置装着面に機能拡張装置側コネクタを有し、前記情報処理装置側コネクタを前記機能拡張装置側コネクタと接続させて前記情報処理装置装着面上に前記情報処理装置を搭載可能な情報処理装置用機能拡張装置とを有し、
前記機能拡張装置は、
上動して前記搭載されている情報処理装置を前記情報処理装置用機能拡張装置より押し上げる押し上げ部材と、
前記情報処理装置装着面に対して水平に操作可能に前記情報処理装置用機能拡張装置に設けられており、前記情報処理装置を前記情報処理装置用機能拡張装置から切り離して離脱させるときに操作される操作部材と、
利用者により操作可能に前記操作部材を収容し、前記操作部材の操作前の状態において該操作部材より大きい空間を有する収容部と、
前記操作部材の水平操作に連動して前記押し上げ部材を上動させるカムによって構成された上動機構とを有する、ことを特徴とする情報処理システム。
【請求項７】
前記操作部材は水平に回動し、
前記上動機構は、該操作部材を水平に回動操作することによって前記押し上げ部材を上動させること、を特徴とする請求項６に記載の情報処理システム。
【請求項８】
前記操作部材は、先端が前記情報処理装置用機能拡張装置側から側方に出っ張るように回動される回動レバーであることを特徴とする請求項６または７に記載の情報処理システム。
【請求項９】
前記回動レバーは、前記先端とその対向方向に回動軸を有する他端とで形成される所定長の直線部分を有し、
前記収容部は、操作前の状態における前記回動レバーの前記直線部分と同方向に該回動レバーの先端との間に形成される空間を有すること、を特徴とする請求項８に記載の情報処理システム。
【請求項１０】
前記回動レバーは、前記回動軸から前記先端までの距離が前記回動軸から前記カムまでの距離の約２倍であること、を特徴とする請求項９記載の情報処理システム。
【手続補正３】
【補正対象書類名】明細書
【補正対象項目名】００１１
【補正方法】変更
【補正の内容】
【００１１】
請求項１の発明は、上側に情報処理装置装着面を有し、該情報処理装置装着面に機能拡張装置側コネクタを有し、情報処理装置側コネクタを有する情報処理装置が、前記情報処理装置側コネクタを前記機能拡張装置側コネクタと接続させて前記情報処理装置装着面上に搭載可能な情報処理装置用機能拡張装置において、
上動して前記搭載されている情報処理装置を前記情報処理装置用機能拡張装置より押し上げる押し上げ部材と、
前記情報処理装置装着面に対して水平に操作可能に前記情報処理装置用機能拡張装置に設けられており、前記情報処理装置を前記情報処理装置用機能拡張装置から切り離して離脱させるときに操作される操作部材と、
利用者により操作可能に前記操作部材を収容し、前記操作部材の操作前の状態において該操作部材より大きい空間を有する収容部と、
前記操作部材の水平操作に連動して前記押し上げ部材を上動させるカムによって構成された上動機構と、を有する構成としたものである。
【手続補正４】
【補正対象書類名】明細書
【補正対象項目名】００１２
【補正方法】変更
【補正の内容】
【００１２】
請求項６の発明は、情報処理システムにおいて、
情報処理装置側コネクタを有する情報処理装置と、
上側に情報処理装置装着面を有し、前記情報処理装置装着面に機能拡張装置側コネクタを有し、前記情報処理装置側コネクタを前記機能拡張装置側コネクタと接続させて前記情報処理装置装着面上に前記情報処理装置を搭載可能な情報処理装置用機能拡張装置とを有し、
前記機能拡張装置は、
上動して前記搭載されている情報処理装置を前記情報処理装置用機能拡張装置より押し上げる押し上げ部材と、
前記情報処理装置装着面に対して水平に操作可能に前記情報処理装置用機能拡張装置に設けられており、前記情報処理装置を前記情報処理装置用機能拡張装置から切り離して離脱させるときに操作される操作部材と、
利用者により操作可能に前記操作部材を収容し、前記操作部材の操作前の状態において該操作部材より大きい空間を有する収容部と、
前記操作部材の水平操作に連動して前記押し上げ部材を上動させるカムによって構成された上動機構とを有する構成としたものである。

【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
請求項１の発明によれば、上側に情報処理装置装着面を有し、該情報処理装置装着面に機能拡張装置側コネクタを有し、情報処理装置側コネクタを有する情報処理装置が、前記情報処理装置側コネクタを前記機能拡張装置側コネクタと接続させて前記情報処理装置装着面上に搭載可能な情報処理装置用機能拡張装置において、上動して前記搭載されている情報処理装置を前記情報処理装置用機能拡張装置より押し上げる押し上げ部材と、前記情報処理装置装着面に対して水平に操作可能に前記情報処理装置用機能拡張装置に設けられており、前記情報処理装置を前記情報処理装置用機能拡張装置から切り離して離脱させるときに操作される操作部材と、利用者により操作可能に前記操作部材を収容し、前記操作部材の操作前の状態において該操作部材より大きい空間を有する収容部と、前記操作部材の水平操作に連動して前記押し上げ部材を上動させるカムによって構成された上動機構と、を有する構成としたため、操作部材を操作することによって情報処理装置側コネクタと機能拡張装置側コネクタとの接続が解除され、よって、情報処理装置を情報処理装置用機能拡張装置から切り離すべく操作者が強い力を加える必要は無く、このため、操作部材を操作しさえすれば情報処理装置を単に持ち上げることによって情報処理装置用機能拡張装置から切り離すことが出来、情報処理装置の機能拡張装置からの取り外しを手際良く行うことが出来、切り離すときの操作性の向上を図ること出来る。また、収容部は、操作部材の操作前の状態において操作部材より大きい空間を有するため、操作部材の操作がし易い。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
請求項６の発明によれば、情報処理システムにおいて、情報処理装置側コネクタを有する情報処理装置と、上側に情報処理装置装着面を有し、前記情報処理装置装着面に機能拡張装置側コネクタを有し、前記情報処理装置側コネクタを前記機能拡張装置側コネクタと接続させて前記情報処理装置装着面上に前記情報処理装置を搭載可能な情報処理装置用機能拡張装置とを有し、前記機能拡張装置は、上動して前記搭載されている情報処理装置を前記情報処理装置用機能拡張装置より押し上げる押し上げ部材と、前記情報処理装置装着面に対して水平に操作可能に前記情報処理装置用機能拡張装置に設けられており、前記情報処理装置を前記情報処理装置用機能拡張装置から切り離して離脱させるときに操作される操作部材と、利用者により操作可能に前記操作部材を収容し、前記操作部材の操作前の状態において該操作部材より大きい空間を有する収容部と、前記操作部材の水平操作に連動して前記押し上げ部材を上動させるカムによって構成された上動機構とを有する構成としたため、操作部材を操作することによって情報処理装置側コネクタと機能拡張装置側コネクタとの接続が解除され、よって、情報処理装置を情報処理装置用機能拡張装置から切り離すべく操作者が強い力を加える必要は無く、このため、操作部材を操作しさえすれば情報処理装置を単に持ち上げることによって情報処理装置用機能拡張装置から切り離すことが出来、情報処理装置の機能拡張装置からの取り外しを手際良く行うことが出来、切り離すときの操作性の向上を図ること出来る。また、収容部は、操作部材の操作前の状態において操作部材より大きい空間を有するため、操作部材の操作がし易い。
【手続補正１６】
【補正対象書類名】明細書
【補正対象項目名】００３４
【補正方法】変更
【補正の内容】
【００３４】
よって、情報処理装置側コネクタ３５は、その中心を、情報処理装置３１のＹ１，Ｙ２方向に延在する中心線ＣＬ１に一致させて配してあり、開口３６、開口３７、及び凹部３８、３９は、中心線ＣＬ１に関して対称に配されている。